(57)【要約】  本発明は、非同期網と同期網が混在する移動通信システムにおけるハンドオーバーのための交換機間のハンドオーバー専用中継線管理方法及びそのシステムを開示している。  本発明は、非同期交換機と同期交換機との間で中継線管理メッセージを送受信することによって、上記非同期交換機と同期交換機との間の中継線の連結及び遮断を行うものであり、上記中継線管理メッセージには、回線再始動メッセージ、回線遮断メッセージ、中継線テストメッセージ及びその他付加的な類型のメッセージがある。
2007528660.tif 000002
【特許請求の範囲】
【請求項１】
非同期移動通信システム及び同期移動通信システムと通信可能なデュアルバンドデュアルモード移動通信端末のハンドオーバーのための非同期交換機と同期交換機との間の中継線管理方法において、
上記非同期交換機及び同期交換機がインボーク状態にある場合、上記非同期交換機及び同期交換機が、回線再始動メッセージ、回線遮断メッセージ及び中継線テストメッセージの中から選択された少なくとも一つの中継線管理メッセージを送受信することによって、上記非同期交換機と同期交換機との間の中継線状態を確認することを特徴とする中継線管理方法。
【請求項２】
上記中継線状態は、上記非同期交換機から上記中継線管理メッセージを伝送した場合は、上記中継線管理メッセージを受信した同期交換機で確認し、上記同期交換機から上記中継線管理メッセージを伝送した場合は、上記中継線管理メッセージを受信した非同期交換機で確認することを特徴とする請求項１記載の中継線管理方法。
【請求項３】
上記中継線管理メッセージは、上記非同期交換機が上記同期交換機に伝送してその応答メッセージを受信するか、上記同期交換機が上記非同期交換機に伝送してその応答メッセージを受信する方法により送受信されることを特徴とする請求項１記載の中継線管理方法。
【請求項４】
上記回線再始動メッセージは、上記非同期交換機と同期交換機との間に中継線を使用する必要があるか、損失された回線状態についての情報を再生して回線を再始動するために、上記非同期交換機と同期交換機とで送受信することを特徴とする請求項１記載の中継線管理方法。
【請求項５】
上記回線再始動メッセージは内部交換機サーキットＩＤ（Inter MSC Circuit ID）を含み、その応答メッセージは中継線状態（Trunk State）を含むことを特徴とする請求項３記載の中継線管理方法。
【請求項６】
上記回線遮断メッセージは、上記非同期交換機と同期交換機との間の接続の遮断を確認するために、上記非同期交換機と同期交換機とで送受信することを特徴とする請求項１記載の中継線管理方法。
【請求項７】
上記回線遮断メッセージは内部交換機サーキットＩＤ（Inter MSC Circuit ID）を含むことを特徴とする請求項１記載の中継線管理方法。
【請求項８】
上記中継線管理メッセージは回線遮断解除メッセージを更に含み、
上記非同期交換機と同期交換機との間で上記回線遮断メッセージが送受信された場合、上記回線遮断解除メッセージにより上記中継線を再活性化することを特徴とする請求項１記載の中継線管理方法。
【請求項９】
上記中継線テストメッセージは、上記非同期交換機と同期交換機との間の中継線が正確に動作するか否かを確認するために、上記非同期交換機と同期交換機とで送受信することを特徴とする請求項１記載の中継線管理方法。
【請求項１０】
上記中継線テストメッセージは、内部交換機サーキットＩＤ（Inter MSC Circuit ID）及びシーザータイプ（Seizure Type）を含むことを特徴とする請求項１記載の中継線管理方法。
【請求項１１】
上記中継線管理メッセージは中継線テスト解除メッセージを更に含み、
上記非同期交換機と同期交換機との間で上記中継線テストメッセージが送受信された場合、上記中継線テスト解除メッセージにより上記テストを終了することを特徴とする請求項１記載の中継線管理方法。
【請求項１２】
非同期移動通信システム及び同期移動通信システムと通信可能なデュアルバンドデュアルモード移動通信端末のハンドオーバーのための非同期交換機と同期交換機との間の中継線管理方法において、
上記非同期交換機及び同期交換機は相互連動運用部と接続され、上記非同期交換機と同期交換機との間で上記相互連動運用部を経由して、回線再始動メッセージ、回線遮断メッセージ及び中継線テストメッセージの中から選択された少なくとも一つの中継線管理メッセージを送受信することにより、上記非同期交換機と同期交換機との間の中継線状態を確認することを特徴とする中継線管理方法。
【請求項１３】
上記非同期交換機と上記相互連動運用部はＩＳＵＰプロトコルにより上記中継線管理メッセージを送受信し、上記同期交換機と上記相互連動運用部はＭＡＰプロトコルにより上記中継線管理メッセージを送受信することによって、上記非同期交換機と同期交換機との間の中継線状態を確認することを特徴とする請求項１２記載の中継線管理方法。
【請求項１４】
上記中継線状態は、上記非同期交換機から上記相互連動運用部を介して上記中継線管理メッセージを伝送した場合は、上記中継線管理メッセージを受信した同期交換機で確認し、上記同期交換機から上記相互連動運用部を介して上記中継線管理メッセージを伝送した場合は、上記中継線管理メッセージを受信した非同期交換機で確認することを特徴とする請求項１２記載の中継線管理方法。
【請求項１５】
上記中継線管理メッセージは、上記非同期交換機が上記相互連動運用部を介して上記同期交換機に伝送しその応答を受信するか、上記同期交換機が上記相互連動運用部を介して上記非同期交換機に伝送しその応答を受信する方法により送受信されることを特徴とする請求項１２記載の中継線管理方法。
【請求項１６】
上記回線再始動メッセージは、上記非同期交換機と同期交換機との間に中継線を使用する必要があるか、損失された回線状態についての情報を再生して回線を再始動するために、上記非同期交換機と同期交換機とで送受信することを特徴とする請求項１２記載の中継線管理方法。
【請求項１７】
上記回線再始動メッセージは内部交換機サーキットＩＤ（Inter MSC Circuit ID）を含み、その応答メッセージは中継線状態（Trunk State）を含むことを特徴とする請求項１６記載の中継線管理方法。
【請求項１８】
上記回線遮断メッセージは、上記非同期交換機と同期交換機との間の接続の遮断を確認するために、上記非同期交換機と同期交換機とで送受信することを特徴とする請求項１２記載の中継線管理方法。
【請求項１９】
上記回線遮断メッセージは内部交換機サーキットＩＤ（Inter MSC Circuit ID）を含むことを特徴とする請求項１２記載の中継線管理方法。
【請求項２０】
上記中継線管理メッセージは回線遮断解除メッセージを更に含み、
上記非同期交換機と同期交換機との間で上記回線遮断メッセージが送受信された場合、上記回線遮断解除メッセージにより上記中継線を再活性化することを特徴とする請求項１２記載の中継線管理方法。
【請求項２１】
上記中継線テストメッセージは、上記非同期交換機と同期交換機との間の中継線が正確に動作するか否かを確認するために、上記非同期交換機と同期交換機とで送受信することを特徴とする請求項１２記載の中継線管理方法。
【請求項２２】
上記中継線テストメッセージは、内部交換機サーキットＩＤ（Inter MSC Circuit ID）及びシーザータイプ（Seizure Type）を含むことを特徴とする請求項１２記載の中継線管理方法。
【請求項２３】
非同期網と同期網が混在する移動通信システムにおけるデュアルバンドデュアルモード移動通信端末のハンドオーバーのための非同期交換機と同期交換機との間の専用中継線管理システムにおいて、
上記非同期交換機は、上記同期交換機に中継線管理メッセージを伝送し、上記同期交換機の応答メッセージを受信して上記同期交換機との中継線状態を確認し、
上記同期交換機は、上記非同期交換機に中継線管理メッセージを伝送し、上記非同期交換機の応答メッセージを受信して上記非同期交換機との中継線状態を確認することを特徴とする中継線管理システム。
【請求項２４】
上記中継線管理メッセージは、回線再始動メッセージ、回線遮断メッセージ及び中継線テストメッセージの中から選択された少なくとも一つのメッセージを含むことを特徴とする請求項２３記載の中継線管理システム。
【請求項２５】
上記回線再始動メッセージは、上記非同期交換機と同期交換機との間に中継線を使用する必要があるか、損失された回線状態に対する情報を再生して回線を再始動するために使用されることを特徴とする請求項２４記載の中継線管理システム。
【請求項２６】
上記回線再始動メッセージは内部交換機サーキットＩＤ（Inter MSC Circuit ID）を含み、その応答メッセージは中継線状態（Trunk State）を含むことを特徴とする請求項２４記載の中継線管理システム。
【請求項２７】
上記回線遮断メッセージは、上記非同期交換機と同期交換機との間の接続の遮断を確認するために、上記非同期交換機と同期交換機とで送受信することを特徴とする請求項２４記載の中継線管理システム。
【請求項２８】
上記回線遮断メッセージは内部交換機サーキットＩＤ（Inter MSC Circuit ID）を含むことを特徴とする請求項２４記載の中継線管理システム。
【請求項２９】
上記中継線管理メッセージは回線遮断解除メッセージを更に含み、
上記非同期交換機と同期交換機との間で上記回線遮断メッセージが送受信された場合、上記回線遮断解除メッセージにより上記中継線を再活性化することを特徴とする請求項２４記載の中継線管理システム。
【請求項３０】
上記中継線テストメッセージは、上記非同期交換機と同期交換機との間の中継線が正確に動作するか否かを確認するために、上記非同期交換機と同期交換機とで送受信することを特徴とする請求項２４記載の中継線管理システム。
【請求項３１】
上記中継線テストメッセージは、内部交換機サーキットＩＤ（Inter MSC Circuit ID）及びシーザータイプ（Seizure Type）を含むことを特徴とする請求項２４記載の中継線管理システム。
【請求項３２】
上記非同期交換機からＩＳＵＰプロトコルを用いて上記中継線管理メッセージを伝送されて上記非同期交換機にＭＡＰプロトコルを用いて上記中継線管理メッセージを伝送し、上記同期交換機からＭＡＰプロトコルを用いて上記中継線管理メッセージを伝送されて上記同期交換機にＩＳＵＰプロトコルを用いて上記中継線管理メッセージを伝送する相互連動運用部を更に含むことを特徴とする請求項２３記載の中継線管理システム。
【発明の詳細な説明】
【技術分野】
【０００１】
本発明は、非同期網と同期網の交換機間の中継線管理方法及びシステムに関し、より詳しくは、非同期網と同期網が混在する移動通信システムにおけるハンドオーバーのための交換機間の中継線のメンテナンスを支援する管理方法及びそのシステムに関する。
【背景技術】
【０００２】
現在、移動通信網は、２世代又は２．５世代網と呼ばれる同期移動通信システム（ＣＤＭＡ移動通信システム）と、３世代網と呼ばれる非同期移動通信システム（ＷＣＤＭＡ移動通信システム）が共存している形態を取っており、かかる構成のネットワークで使用可能な移動通信端末（Dual Band Dual Mode Terminal；ＤＢＤＭ移動通信端末）が開発されている。
【０００３】
非同期移動通信システムはサービス初期段階にあり、システムの具現に莫大な投資費が必要なため広い地域でサービスを提供することができず、同期移動通信システム領域に重なった形態で具現されている。よって、非同期移動通信システムのサービス領域が制限されるため、非同期領域でサービスを利用していた非同期移動通信システムの加入者が、非同期移動通信サービスが提供されていない同期領域へ移動する場合、連続的なサービスを提供するためのハンドオーバーが必要となる。
非同期移動通信システムと同期移動通信システムとの間のハンドオーバーは、非同期交換機と同期交換機との間のハンドオーバー専用中継線を介したメッセージ交換により可能となる。ところが、非同期交換機と同期交換機との間の中継線が正しく動作しない時、ハンドオーバーを行う過程でエラーが発生し、これにより非同期領域から同期領域へ移動する移動通信端末に対するサービスが断絶される問題点がある。
【発明の開示】
【発明が解決しようとする課題】
【０００４】
従って、上記のような問題点を解決するための本発明の目的は、非同期交換機と同期交換機との間のハンドオーバー専用中継線の状態を周期的に確認することによって、ハンドオーバーを行う際にエラーが発生しないようにすることのできる中継線管理方法及びシステムを提供することにある。
【課題を解決するための手段】
【０００５】
上記の目的を達成するために、本発明の一つの特徴による、非同期網と同期網が混在する移動通信システムにおけるハンドオーバーのための交換機間のハンドオーバー専用中継線管理方法は、非同期移動通信システム及び同期移動通信システムと通信可能なデュアルバンドデュアルモード移動通信端末のハンドオーバーのための非同期交換機と同期交換機との間の中継線管理方法において、上記非同期交換機及び同期交換機がインボーク状態にある場合、上記非同期交換機及び同期交換機が、回線再始動メッセージ、回線遮断メッセージ及び中継線テストメッセージの中から選択された少なくとも一つの中継線管理メッセージを送受信することによって、上記非同期交換機と同期交換機との間の中継線状態を確認する。
【０００６】
本発明の別の特徴による、非同期網と同期網が混在する移動通信システムにおけるハンドオーバーのための交換機間のハンドオーバー専用中継線管理方法は、非同期移動通信システム及び同期移動通信システムと通信可能なデュアルバンドデュアルモード移動通信端末のハンドオーバーのための非同期交換機と同期交換機との間の中継線管理方法において、上記非同期交換機及び同期交換機は相互連動運用部と接続され、上記非同期交換機と同期交換機との間で上記相互連動運用部を経由して、回線再始動メッセージ、回線遮断メッセージ及び中継線テストメッセージの中から選択された少なくとも一つの中継線管理メッセージを送受信することにより、上記非同期交換機と同期交換機との間の中継線状態を確認する。
【０００７】
本発明のまた別の特徴による、非同期網と同期網が混在する移動通信システムにおけるハンドオーバーのための交換機間のハンドオーバー専用中継線管理システムは、非同期網と同期網が混在する移動通信システムにおけるデュアルバンドデュアルモード移動通信端末のハンドオーバーのための非同期交換機と同期交換機との間の専用中継線管理システムにおいて、上記非同期交換機は、上記同期交換機に中継線管理メッセージを伝送し、上記同期交換機の応答メッセージを受信して上記同期交換機との中継線状態を確認し、上記同期交換機は、上記非同期交換機に中継線管理メッセージを伝送し、上記非同期交換機の応答メッセージを受信して上記非同期交換機との中継線状態を確認する。
【発明の効果】
【０００８】
本発明によれば、非同期移動通信システムが同期移動通信システムに重なっており、デュアルバンドデュアルモード移動通信端末が非同期移動通信システム領域から同期移動通信システム領域へ移動する場合、ハンドオーバー手順を正確に行うために、非同期交換機と同期交換機との間で中継線管理メッセージを送受信して中継線の設定、再設定、解除、再トライ、状態確認などを行うことによって、非同期交換機と同期交換機との間のメッセージ伝送が正確になされ、これにより移動通信端末機に対するサービスの断絶無しに向上した品質のサービスを提供できる効果がある。
【実施例】
【０００９】
以下では、図１乃至図６を参照し、本発明の第１実施例による、非同期網と同期網が混在する移動通信システムにおけるハンドオーバーのための交換機間のハンドオーバー専用中継線管理方法及びシステムについて詳しく説明する。
【００１０】
まず、図１は、本発明の第１実施例による移動通信網の構成図である。
図１を参照すると、本発明の第１実施例に適用される移動通信端末１０は、デュアルバンドデュアルモード（以下、ＤＢＤＭ）移動通信端末であり、非同期移動通信サービスと同期移動通信サービスの同時提供が可能な形態で、同期移動通信サービスのためのモジュールである同期モデム部、非同期移動通信サービスのためのモジュールである非同期モデム部、及び共通モジュールを含んで構成されており、非同期移動通信システム２０及び同期移動通信システム３０とそれぞれ無線接続して音声及びデータサービスを利用することができる。
【００１１】
非同期移動通信システム２０は、移動通信端末１０との無線区間通信のための基地局としてのノードＢ及びノードＢの制御のための無線網制御機（ノードＢ／ＲＮＣ）２１０と、無線網制御機（ＲＮＣ）と連結され移動通信端末１０へサービスを提供するための呼交換を行う非同期交換機（ＭＳＣ）２２０と、無線網制御機（ＲＮＣ）とＧＰＲＳ（General Packet Radio Service）網２４０との間に連結され移動通信端末１０の位置トラックを維持してアクセス制御及び保安機能を果たすＳＧＳＮ（Serving GPRS Support Node）２３０と、ＳＧＳＮ２３０とＧＰＲＳ（General Packet Radio Service）網２４０を介して連結され、ＩＰ網７０に接続されて外部パケットとの連動を支援するＧＧＳＮ（Gateway GPRS Support Node）２５０とを含む。
【００１２】
また、同期移動通信システム３０は、移動通信端末１０との無線区間通信を支援する基地局及び基地局を制御するための基地局制御機（ＢＴＳ／ＢＳＣ）３１０と、一つ以上の基地局制御機と連結され呼交換を行うための交換機（ＭＳＣ）３２０と、基地局制御機（ＢＳＣ）と接続され加入者にパケットデータサービスを提供するためのパケットデータサービスノード（ＰＤＳＮ）３３０と、パケットデータサービスノード３３０とＩＰ網７０との間の接続を支援するためのデータコア網（ＤＣＮ）３４０とを含んで構成される。
【００１３】
また、非同期交換機２２０及び同期交換機３２０はＮｏ．７共通信号網４０に相互接続され、これを介してデュアルスタックホーム位置登録機（Ｄ−ＨＬＲ）５０と接続され、デュアルスタックホーム位置登録機５０はＤＢＤＭ移動通信端末１０の非同期移動通信システム加入情報及びこれに対応する同期移動通信システム加入情報を保存及び管理し、非同期交換機２２０及び同期交換機３２０がハンドオーバーなどのサービスを行う際に参照できるようにする。
かかるネットワーク構成において、非同期移動通信システム２０領域に位置した移動通信端末１０は、現在接続されているノードＢとの信号強度及び隣接基地局と送受信される信号強度を周期的に測定してノードＢに報告し、ノードＢとの信号強度が指定された閾値以下に低下すると、ノードＢはＲＮＣを介して非同期交換機２２０へハンドオーバーイベントが発生したことを報告する。この時、ノードＢ／ＲＮＣ２１０は、移動通信端末１０が検出した隣接セル情報、基地局ＩＤなどを、共に非同期交換機２２０へ伝送する。
【００１４】
非同期交換機２２０は、ＲＮＣからハンドオーバー要請メッセージを受信すると、ＲＮＣから受信した隣接セル情報、基地局ＩＤなどを参照し、非同期移動通信システム２０内の隣接セル間のハンドオーバーなのか、同期移動通信システム３０へのハンドオーバーなのかを判断する。非同期移動通信システム２０内の隣接セル間のハンドオーバーである場合には、非同期交換機２２０は隣接セルへのハンドオーバーを行い、同期移動通信システム３０へのハンドオーバーである場合には、同期交換機３２０へハンドオーバーがなされるようにする。
【００１５】
かかるハンドオーバー手順を、図２を参照してより具体的に説明すれば次の通りである。
図２は、本発明の第１実施例による非同期網と同期網との間のハンドオーバー方法を説明するためのフローチャートである。
図２を参照すると、非同期移動通信システム２０領域で音声通話を利用していた移動通信端末１０の同期移動通信システム３０領域への移動に伴い、移動通信端末１０は同期移動通信システム３０からの信号を感知するようになり、非同期移動通信システム２０のノードＢからの信号強度及び隣接基地局（又はノードＢ）との信号強度を周期的に測定してノードＢに報告する。これによって、現在移動通信端末１０と接続されているノードＢで移動通信端末とノードＢとの信号強度が指定値以下であることを確認すると、ＲＮＣを介して非同期交換機２２０へハンドオーバーを要請する（IU Reloc Required）（Ｓ１０１）。
【００１６】
このハンドオーバー要請メッセージ（IU Reloc Required）は、同期移動通信システムで使用するハンドオーバー関連メッセージを含む。また、ＲＮＣは移動通信端末１０から受信した隣接基地局情報（基地局ＩＤ）、隣接セル情報などを共に伝送し、非同期交換機２２０はこの情報によって、非同期移動通信システム内の隣接セル間のハンドオーバーなのか、同期移動通信システム３０へのハンドオーバーなのかを判断する。
ハンドオーバー要請メッセージを受信した非同期交換機２２０は、同期交換機３２０へハンドオーバーを指示し（Facilities Directive２）（Ｓ１０２）、同期交換機３２０は基地局制御機／基地局３１０へハンドオーバーを要請する（Handoff Request）（Ｓ１０３）。
ここで、非同期交換機２２０は、同期交換機３２０へハンドオーバー指示メッセージ（Facilities Directive２）を伝送する前に、ビリング（Billing）ＩＤを生成してハンドオーバー指示メッセージ（Facilities Directive２）に含め、さらにハンドオーバー区間別内部交換機サーキットＩＤ（Inter MSC Circuit ID）をもハンドオーバー指示メッセージに含めて伝送する。ここで、ビリングＩＤは、非同期交換機２２０と接続する同期交換機３２０のＩＤ情報を含む。
【００１７】
交換機３２０からハンドオーバー要請を受けた基地局／基地局制御機３１０は、前方向トラフィックチャンネルを介して移動通信端末の同期モデム部へヌルフレームを伝送（null Forward Traffic Channel frames）することで前方向チャンネルが割り当てられるようにし（Ｓ１０４）、続いて、基地局／基地局制御機３１０は、交換機３２０へハンドオーバー要請に対する応答メッセージ（Handoff Request Ack）を伝送する（Ｓ１０５）。また、交換機３２０は非同期交換機２２０へハンドオーバー指示に対する応答メッセージ（Facilities Directive２ Ack）を伝送する（Ｓ１０６）。これによって、非同期交換機２２０と同期交換機３２０との間の中継線が設定される。
【００１８】
中継線設定過程についてより具体的に説明すれば、非同期交換機２２０は、論理的な中継線設定識別子であるデディケートチャンネルと、物理的な中継線とのマッピング関係を設定し、この情報をハンドオーバー要請メッセージ（Facilities Directive２）の内部交換機サーキットＩＤ（Inter MSC Circuit ID）に設定して同期交換機３２０へ伝送し、同期交換機３２０から応答メッセージ（Facilities Directive２ Ack）が伝送されると、非同期交換機２２０と同期交換機３２０との間に中継線が設定される。非同期交換機２２０と同期交換機３２０との間で送受信されるハンドオーバー要請メッセージ（Facilities Directive２）は、ビリングＩＤ、ＥＳＮ、内部交換機サーキットＩＤ、ＭＩＮなどのようなパラメーターを含み、その応答メッセージ（Facilities Directive２ Ack）は、ＣＤＭＡチャンネルデータ、ＣＤＭＡチャンネルリストなどのようなパラメーターを含む。
このように、交換機間の中継線が設定された後、非同期交換機２２０はノードＢ／ＲＮＣ２１０へハンドオーバーのための資源割当が完了したことを報告し（IU Relocation Command）（Ｓ１０７）、これを受信したノードＢ／ＲＮＣ２１０は移動通信端末１０の非同期モデム部へハンドオーバーを行うよう要請する（Handover from UTRAN Command）（Ｓ１０８）。
【００１９】
以後、移動通信端末の非同期モデム部は同期モデム部にチャンネル割当情報を伝送し（Channel Assignment）（Ｓ１０９）、移動通信端末の同期モデム部は逆方向トラフィックチャンネルを介してフレーム又はプリアンブルを同期移動通信システムの基地局／基地局制御機３１０へ伝送した後（Reverse Traffic Channel Frames or Traffic Channel Preamble）（Ｓ１１０）、ハンドオーバーが完了したことを報告し（Handoff Completion Message）（Ｓ１１１）、これを受信した基地局／基地局制御機３１０がこれに対する応答信号を伝送する（BS Ack Order）（Ｓ１１２）。すると、同期モデム部は非同期モデム部へ同期移動通信システムとの接続が完了したことを通知する（Call Connection）（Ｓ１１３）。
【００２０】
一方、基地局／基地局制御機３１０は交換機３２０へハンドオーバーが完了したことを報告し（Handoff Complete）（Ｓ１１４）、交換機３２０は非同期交換機２２０へハンドオーバーが完了したことを通知する（Mobile On Channel）（Ｓ１１５）。次に、非同期交換機２２０がノードＢ／ＲＮＣへ接続の解除を要請し、非同期交換機２２０がこれに対する応答を受信することによって、非同期交換機２２０とノードＢ／ＲＮＣとの間の接続が解除される（IU Release Command、IU Release Complete）（Ｓ１１６、Ｓ１１７）。
以上で説明した手順により、非同期移動通信システムで音声通話中の移動通信端末に対する同期移動通信システムへのハンドオーバーが完了した後に、通話中の二つの移動通信端末のうちどちらか一方の要請によって呼が解除される（Facilities Release、Facilities Ack）（Ｓ１１８）。
かかるハンドオーバー手順は、非同期交換機と同期交換機との間のメッセージがエラー無しに正確に送受信される場合に可能となる。即ち、非同期交換機と同期交換機はハンドオーバー伝送中継線により接続されており、この中継線が正しく作動して初めて加入者に高品質のサービスを提供できる。
【００２１】
このために、非同期交換機と同期交換機は、ハンドオーバー専用中継線が正確に動作するかを確認するために、回線再始動メッセージ、回線遮断メッセージ、回線遮断解除メッセージ、中継線テストメッセージ、中継線テスト解除メッセージなどを用いる。このようなメッセージを、本発明では中継線管理メッセージと命名することとし、非同期交換機又は同期交換機が相手交換機の呼び出しに応答した状態で、非同期交換機又は同期交換機が相手交換機に中継線管理メッセージを伝送し、その応答を受信することによって中継線の状態を確認することができる。
言い換えれば、中継線管理メッセージは交換機がインボーク状態にある場合、非同期及び同期交換機のどちらからでも先に管理メッセージを伝送することができ、管理メッセージを受信した交換機がこれに対する応答を伝送することによって、管理メッセージを伝送した交換機で中継線状態を確認するのである。
【００２２】
図３乃至図１１は、中継線管理メッセージを送受信して交換機間のハンドオーバー専用中継線の状態を確認する方法、及び各中継線管理メッセージに含まれるパラメーターのリストを説明するための図であり、本実施例では、非同期交換機が先に中継線管理メッセージを同期交換機に伝送し、同期交換機がこれに対する応答メッセージを伝送する場合を例に挙げ、説明することにする。
図３及び図４は、本発明の第１実施例による交換機間の中継線管理方法のうち、回線再始動メッセージを説明するための図であり、図３に示すように、非同期交換機は同期交換機との中継線を使用する必要がある場合、或いは損失された回線状態に対する情報を再生して回線を再始動する場合に回線再始動メッセージ（Reset Circuit）を使用する。非同期交換機から回線再始動メッセージを受信した同期交換機は、中継線状態情報を含む応答メッセージ（Reset Circuit Ack）を非同期交換機に伝送する。
回線再始動メッセージは、図４に示すように内部交換機サーキットＩＤ（Inter MSC Circuit ID）を含み、その応答メッセージは中継線状態（Trunk State）を含む。
【００２３】
図５乃至図８は、本発明の第１実施例による交換機間の中継線管理方法のうち、回線遮断及び遮断解除メッセージを説明するための図である。
まず、図５を参照すると、非同期交換機は、同期交換機間に割り当てられた中継線がサービスから遮断されたことを知らせるために、即ち交換機間の接続をそれ以上維持する必要がない場合に、同期交換機に回線遮断メッセージ（Blocking）を伝送し、同期交換機はこれに対する応答メッセージ（Blocking Ack）を非同期交換機に伝送する。
図７を参照すると、非同期交換機は、図５で説明した回線遮断メッセージにより同期交換機との接続が遮断された場合、中継線を再度サービス状態に転換するために同期交換機に回線再設定メッセージ（Unblocking）を伝送し、同期交換機はこれに対する応答メッセージ（Unblocking Ack）を伝送する。
【００２４】
回線遮断メッセージに含まれるパラメーターは、図６に示すように内部交換機サーキットＩＤ（Inter MSC Circuit ID）を含み、回線再設定メッセージに含まれるパラメーターもまた、図８に示すように内部交換機サーキットＩＤ（Inter MSC Circuit ID）を含む。
次に、図９乃至図１１は、本発明の第１実施例による中継線管理方法のうち、中継線テストメッセージを説明するための図である。
図９に示すように、非同期交換機は、中継線が正確に動作するかを確認するために非同期交換機に中継線テストメッセージ（Trunk Test）を伝送し、これを受信した同期交換機は、これに対する応答メッセージ（Trunk Test Ack）を非同期交換機に伝送する。
【００２５】
さらに、中継線テストを終了しようとする場合、非同期交換機は同期交換機に中継線テスト解除メッセージ（Trunk Test Disconnect）を伝送し、同期交換機はこれに対する応答メッセージ（Trunk Test Disconnect Ack）を非同期交換機に伝送する。
中継線テストメッセージは、図１０に示すように内部交換機サーキットＩＤ（Inter MSC Circuit ID）及びシーザータイプ（Seizure Type）を含み、中継線テスト解除メッセージは、図１１に示すように内部交換機サーキットＩＤ（Inter MSC Circuit ID）を含む。
以上、中継線管理メッセージをＭＡＰプロトコルを用いて非同期交換機から同期交換機に伝送した場合について説明したが、同期交換機から非同期交換機に中継線管理メッセージを伝送し、これに対する応答メッセージを受信する方法で中継線状態を管理することも可能である。また、各中継線管理メッセージに含まれるパラメーターは、図示した項目以外に、交換機間の機能拡張に伴って追加され得ることは勿論である。
【００２６】
以下では、図１２乃至図２２を参照し、本発明の第２実施例による、非同期網と同期網が混在する移動通信システムにおけるハンドオーバーのための交換機間のハンドオーバー専用中継線管理方法及びシステムについて詳しく説明する。
図１２は、本発明の第２実施例による移動通信網の構成図である。
図１２を参照すると、本発明の第２実施例に適用される移動通信端末４１０は、デュアルバンドデュアルモード（以下、ＤＢＤＭ）移動通信端末であり、非同期移動通信サービスと同期移動通信サービスの同時提供が可能な形態で、同期移動通信サービスのためのモジュールである同期モデム部、非同期移動通信サービスのためのモジュールである非同期モデム部、及び共通モジュールを含んで構成されており、非同期移動通信システム４２０及び同期移動通信システム４３０とそれぞれ無線接続して音声及びデータサービスを利用することができる。
【００２７】
非同期移動通信システム４２０は、移動通信端末４１０との無線区間通信のための基地局としてのノードＢ及びノードＢの制御のための無線網制御機（ノードＢ／ＲＮＣ）６１０と、無線網制御機（ＲＮＣ）と連結され移動通信端末４１０にサービスを提供するための呼交換を行う非同期交換機（ＭＳＣ）６２０と、無線網制御機（ＲＮＣ）とＧＰＲＳ（General Packet Radio Service）網６４０との間に連結され移動通信端末４１０の位置トラックを維持してアクセス制御及び保安機能を果たすＳＧＳＮ（Serving GPRS Support Node）６３０と、ＳＧＳＮ６３０とＧＰＲＳ（General Packet Radio Service）網６４０を介して連結され、ＩＰ網４７０に接続されて外部パケットとの連動を支援するＧＧＳＮ（Gateway GPRS Support Node）６５０とを含む。
また、同期移動通信システム４３０は、移動通信端末４１０と無線区間通信を支援する基地局及び基地局を制御するための基地局制御機（ＢＴＳ／ＢＳＣ）７１０と、一つ以上の基地局制御機と連結され呼交換を行うための交換機（ＭＳＣ）７２０と、基地局制御機（ＢＳＣ）と接続され加入者にパケットデータサービスを提供するためのパケットデータサービスノード（ＰＤＳＮ）７３０と、パケットデータサービスノード７３０とＩＰ網４７０との間の接続を支援するためのデータコア網（ＤＣＮ）７４０とを含んで構成される。
【００２８】
さらに、非同期移動通信システム４２０及び同期移動通信システム４３０の交換機６２０、７２０は、相互連動運用部（Interworking Interoperability Function；ＩＩＦ）４６０により相互接続されており、相互連動運用部４６０は非同期交換機６２０から伝送される非同期メッセージを同期メッセージに変換して同期交換機７２０へ伝送し、同期移動通信システム情報をデータベースとして構築して管理する。
非同期交換機６２０及び同期交換機７２０はまたＮｏ．７共通信号網４４０に相互接続され、これを介してデュアルスタックホーム位置登録機（Ｄ−ＨＬＲ）４５０と接続され、デュアルスタックホーム位置登録機４５０はＤＢＤＭ移動通信端末４１０の非同期移動通信システム加入情報及びこれに対応する同期移動通信システム加入情報を保存及び管理し、非同期交換機６２０及び同期交換機７２０がハンドオーバーなどのサービスを行う際に参照できるようにする。
かかるネットワーク構成において、非同期移動通信システム４２０領域に位置して音声通話を利用している移動通信端末４１０は、現在接続されているノードＢとの信号強度及び隣接基地局と送受信される信号強度を周期的に測定してノードＢに報告し、ノードＢとの信号強度が指定された閾値以下に低下すると、ノードＢはＲＮＣを介して非同期交換機６２０へハンドオーバーイベントが発生したことを報告する。この時、ノードＢ／ＲＮＣ６１０は、移動通信端末４１０が検出した隣接セル情報、基地局ＩＤなどを共に、非同期交換機６２０へ伝送する。
非同期交換機６２０は、ＲＮＣからハンドオーバー要請メッセージを受信すると、ＲＮＣから受信した隣接セル情報、基地局ＩＤなどを参照し、非同期移動通信システム４２０内の隣接セル間のハンドオーバーなのか、同期移動通信システム４３０へのハンドオーバーなのかを判断する。
【００２９】
非同期移動通信システム４２０内の隣接セル間のハンドオーバーである場合には、非同期交換機６２０は隣接セルへのハンドオーバーを行うのに対し、同期移動通信システム４３０へのハンドオーバーである場合には、ＩＩＦ６０を介して同期交換機７２０へハンドオーバーがなされるようにする。このために、ＩＩＦ４６０は、非同期メッセージを同期メッセージに変換して同期交換機７２０へ伝送し、同期移動通信システム情報をデータベースとして予め構築して管理しなければならない。このデータベースには、交換機情報、信号点、デディケートチャンネル（Dedicate Channel）関連の中継線情報などが含まれる。ＩＩＦ４６０は、非同期交換機６２０からのハンドオーバー要請と同期移動通信システム情報によってハンドオーバー対象交換機７２０を選択し、ハンドオーバー対象交換機ＩＤなどを含むビリング（Billing）ＩＤを生成して以後のハンドオーバー過程で活用する。
かかるハンドオーバー手順を、図１３を参照してより具体的に説明すれば次の通りである。
【００３０】
図１３は、本発明の第２実施例による非同期網と同期網との間のハンドオーバー方法を説明するためのフローチャートである。
図１３を参照すると、非同期移動通信システム４２０領域で音声通話を利用していた移動通信端末４１０の同期移動通信システム４３０領域への移動に伴い、移動通信端末４１０は同期移動通信システム４３０からの信号を感知するようになり、非同期移動通信システム４２０のノードＢからの信号強度及び隣接基地局（またはノードＢ）との信号強度を周期的に測定してノードＢに報告する。これによって、現在移動通信端末４１０と接続されているノードＢで移動通信端末とノードＢとの信号強度が指定値以下であることを確認すると、ＲＮＣを介して非同期交換機６２０へハンドオーバーを要請する（IU Reloc Required）（Ｓ５０１）。
このハンドオーバー要請メッセージ（IU Reloc Required）は、同期移動通信システムで使用するハンドオーバー関連メッセージを含む。また、ＲＮＣは移動通信端末４１０から受信した隣接基地局情報（基地局ＩＤ）、隣接セル情報などを共に伝送し、この情報によって非同期交換機６２０は、非同期移動通信システム内の隣接セル間のハンドオーバーなのか、同期移動通信システム４３０へのハンドオーバーなのかを判断する。ＲＮＣが非同期交換機６２０へ伝送するハンドオーバー要請メッセージ（IU Reloc Required）は、メッセージタイプ、ハンドオーバータイプ、ハンドオーバーの原因、ソース基地局制御機ＩＤ、ターゲット基地局制御機ＩＤ、ＲＡＢ（Radio Access Bearer）情報及び無線区間関連情報のようなパラメーターを含む。また、ＲＮＣは、ハンドオーバー要請メッセージに含まれたOld BSS To New BSS Informationパラメーターに、同期移動通信システムで使用するハンドオーバー関連情報を追加で含む。
【００３１】
ハンドオーバー要請メッセージを受信した非同期交換機６２０は、ハンドオーバーを要請する非同期メッセージを相互連動運用部４６０へ伝送する（MAP Prep Handover Req）（Ｓ５０２）。この時、上記非同期メッセージに拡張コンテナを追加し、移動通信端末４１０の非同期識別番号（ＭＳＩＳＤＮ）を共に伝送するが、このメッセージは、インボークＩＤ、ターゲットセルＩＤ、ターゲット無線網制御機ＩＤ、ＭＳＩＳＤＮなどのようなパラメーターを含む。
以後、相互連動運用部４６０は、非同期交換機２２０から受信した非同期加入者情報（ＭＳＩＳＤＮ）を参照し、加入者情報を伝送するようデュアルスタックホーム位置登録機４５０へ要請する（Call Data Request）（Ｓ５０３）。即ち、移動通信端末４１０の同期網識別子（ＭＩＮ、ＥＳＮ）を要請する。段階Ｓ５０３で、相互連動運用部４６０は、非同期メッセージ（MAP_SEND_IMSI）を用いてデュアルスタックホーム位置登録機４５０へ加入者の同期網識別子情報を要請することができる。
【００３２】
相互連動運用部４６０から加入者情報の要請を受けたデュアルスタックホーム位置登録機４５０は、データベースを照会して該当加入者の同期網識別子情報（ＭＩＮ、ＥＳＮ）を抽出した後、相互連動運用部４６０へ伝送する（Call Data Req Ack）（Ｓ５０４）。ここで、加入者の同期網識別子情報を要請する同期網メッセージ（Call Data Request）は、ビリングＩＤ、デジット（即ち、ＭＳＩＳＤＮ）などのようなパラメーターを含み、その応答メッセージ（Call Data Req Ack）は、ＥＳＮ、ＭＩＮ、ＭＳＣＩＤなどのようなパラメーターを含む。一方、加入者の同期網識別子情報を要請する際に非同期メッセージ（MAP_SEND_IMSI）を用いる場合、このメッセージに含まれるパラメーターは、インボークＩＤ、ＭＳＩＳＤＮ、ＩＭＳＩ、ＥＳＮなどを含む。
デュアルスタックホーム位置登録機４５０から加入者情報を受信した相互連動運用部４６０は、同期交換機７２０へハンドオーバーを指示し（Facilities Directive２）（Ｓ５０５）、同期交換機７２０は基地局制御機／基地局７１０へハンドオーバーを要請する（Hand off Request）（Ｓ５０６）。
このように、相互連動運用部４６０は同期交換機７２０へハンドオーバー指示メッセージ（Facilities Directive２）を伝送する前に、ビリング（Billing）ＩＤを生成してハンドオーバー指示メッセージ（Facilities Directive２）に含み、ハンドオーバー区間別内部交換機サーキットＩＤ（Inter MSC Circuit ID）を含んで伝送する。ここで、ビリングＩＤは、非同期交換機６２０と接続する同期交換機７２０のＩＤ情報を含む。
【００３３】
交換機７２０からハンドオーバー要請を受けた基地局／基地局制御機７１０は、前方向トラフィックチャンネルを介して移動通信端末の同期モデム部へヌルフレームを伝送（null Forward Traffic Channel frames）することで前方向チャンネルが割り当てられ（Ｓ５０７）、続いて、基地局／基地局制御機７１０は、交換機７２０へハンドオーバー要請に対する応答メッセージ（Handoff Request Ack）を伝送する（Ｓ５０８）。また、交換機７２０は相互連動運用部４６０へハンドオーバー指示に対する応答メッセージ（Facilities Directive２ Ack）を伝送し（Ｓ５０９）、相互連動運用部４６０は非同期交換機６２０へ段階Ｓ５０２のハンドオーバー要請に対する応答メッセージ（MAP Prep Handover Resp）を伝送する（Ｓ５１０）。これによって、非同期交換機６２０と同期交換機７２０との間の中継線が設定される。
【００３４】
より具体的に説明すれば、相互連動運用部４６０は、論理的な中継線設定識別子であるデディケートチャンネルと、物理的な中継線とのマッピング関係を設定し、この情報をハンドオーバー要請メッセージ（Facilities Directive２）の内部交換機サーキットＩＤ（Inter MSC Circuit ID）に設定して同期交換機７２０へ伝送し、同期交換機７２０から応答メッセージ（Facilities Directive２ Ack）が伝送されると、非同期交換機６２０と同期交換機７２０との間に中継線が設定されるようにする。相互連動運用部４６０と同期交換機７２０との間で送受信されるハンドオーバー要請メッセージ（Facilities Directive２）は、ビリングＩＤ、ＥＳＮ、内部交換機サーキットＩＤ、ＭＩＮなどのようなパラメーターを含み、その応答メッセージ（Facilities Directive２ Ack）は、ＣＤＭＡチャンネルデータ、ＣＤＭＡチャンネルリストなどのようなパラメーターを含む。
続いて、非同期交換機６２０が相互連動運用部４６０へ初期アドレスメッセージであるＩＡＭ（Initial Address Message）を伝送し、相互連動運用部４６０がこれに対する応答としてＡＣＭ（Address Completion Message）を伝送することによって、非同期交換機６２０と同期交換機７２０との間にトランク設定がなされ、これにより呼がルーティングされる（Ｓ５１１、Ｓ５１２）。トランク設定のための交換機間のメッセージはＩＳＵＰにより送受信される。
【００３５】
このように、交換機間の中継線及びトランクが設定された後、非同期交換機６２０は、ノードＢ／ＲＮＣ６１０へハンドオーバーのための資源割当が完了したことを報告し（IU Relocation Command）（Ｓ５１３）、これを受信したノードＢ／ＲＮＣ６１０は、移動通信端末４１０の非同期モデム部へハンドオーバーを行うことを要請する（Handover from UTRAN Command）（Ｓ５１４）。ここで、資源割当が完了したことを報告するメッセージ（IU Relocation Command）は、メッセージタイプ、ＲＲＣコンテナ、解除するＲＡＢリストなどのようなパラメーターを含む。
以後、移動通信端末の非同期モデム部は同期モデム部にチャンネル割当情報を伝送し（Channel Assignment）（Ｓ５１５）、相互連動運用部４６０は非同期交換機６２０へアクセス信号を要請するが（MAP Process Access Signaling Req）（Ｓ５１６）、アクセス信号は、インボークＩＤ、応用プロトコルデータ単位（ＡＰＤＵ）、選択された無線資源情報などを含む。
【００３６】
また、移動通信端末の同期モデム部は逆方向トラフィックチャンネルを介してフレーム又はプリアンブルを同期移動通信システムの基地局／基地局制御機７１０へ伝送して（Reverse Traffic Channel Frames or Traffic Channel Preamble）（Ｓ５１７）、ハンドオーバーが完了したことを報告し（Handoff Completion Message）（Ｓ５１８）、これを受信した基地局／基地局制御機７１０がこれに対する応答信号を伝送する（BS Ack Order）（Ｓ５１９）。すると、同期モデム部は非同期モデム部へ同期移動通信システムとの接続が完了したことを通知する（Call Connection）（Ｓ５２０）。
続いて、基地局／基地局制御機７１０は交換機７２０へハンドオーバーが完了したことを報告し（Handoff Complete）（Ｓ５２１）、交換機７２０は相互連動運用部４６０へハンドオーバーが完了したことを通知し（Mobile On Channel）（Ｓ５２２）、これを受信した相互連動運用部４６０が非同期交換機６２０へ接続の解除を要請する（MAP Send End Signal Req）（Ｓ５２３）。
また、相互連動運用部４６０は非同期交換機６２０へ同期交換機７２０と移動通信端末とが接続されたことを知らせるメッセージを伝送し（ANSWER）（Ｓ５２４）、非同期交換機６２０とノードＢ／ＲＮＣとの間の接続が解除される（IU Release Command、IU Release Complete）（Ｓ５２５、Ｓ５２６）。
【００３７】
以上で説明した手順により、非同期移動通信システムで音声通話中である移動通信端末に対する同期移動通信システムへのハンドオーバーが完了した後の呼解除過程を説明すれば、次の通りである。呼解除は、非同期移動通信システム領域にある加入者の移動通信端末から先に要請されるか、同期移動通信システム領域にハンドオーバーした加入者の移動通信端末から先に要請されることができるが、本実施例では、非同期移動通信システム領域にある加入者の移動通信端末が呼解除を要請した場合について説明する。
【００３８】
移動通信端末が呼を解除することによって、非同期交換機６２０と同期交換機７２０との間の呼が解除され（Call Release）（Ｓ５２７）、交換機間のトランク接続が解除される（Release）（Ｓ５２８）。この後、非同期交換機６２０は相互連動運用部４６０へ接続の解除が完了したことを報告し（MAP Send End Signal Resp）（Ｓ５２９）、相互連動運用部４６０は同期交換機７２０へ呼解除要請メッセージ（Facilities Release）を伝送し（Ｓ５３０）、このメッセージを受信した同期交換機７２０がこれに応答することにより（Facilities Ack）交換機間に設定されていた中継線設定が解除される（Ｓ５３１）。ここで、呼解除要請メッセージ（Facilities Release）は、内部ＭＳＣサーキットＩＤ、解除理由、ビリングＩＤ、ＭＩＮなどのようなパラメーターを含み、その応答メッセージ（Facilities Ack）はビリングＩＤなどのようなパラメーターを含む。
【００３９】
かかるハンドオーバー手順は、非同期交換機と同期交換機との間のメッセージがエラー無しに正確に送受信される場合に可能となる。即ち、非同期交換機及び同期交換機はハンドオーバー相互連動運用部及び伝送中継線により接続されており、この中継線が正しく作動して初めて加入者に高品質のサービスを提供できる。
このために、非同期交換機及び同期交換機はハンドオーバー専用中継線が正確に動作するかを確認するために、回線再始動メッセージ、回線遮断メッセージ、回線遮断解除メッセージ、中継線テストメッセージ、中継線テスト解除メッセージなどを用いる。非同期交換機又は同期交換機が相手交換機の呼び出しに応答した状態で、非同期交換機又は同期交換機が相互連動運用部を介して相手交換機に中継線管理メッセージを伝送し、その応答を受信することによって中継線の状態を確認することができる。
言い換えれば、中継線管理メッセージは、交換機がインボーク状態にある場合に非同期及び同期交換機のどちらからでも先に管理メッセージを伝送することができ、管理メッセージを受信した交換機がこれに対する応答を伝送することによって、管理メッセージを伝送した交換機で中継線状態を確認するものである。
【００４０】
仮りに、非同期交換機が中継線管理メッセージを伝送する場合、非同期交換機が相互連動運用部へＩＳＵＰプロトコルを介した中継線管理メッセージを伝送すると、相互連動運用部はこれをＭＡＰプロトコルを介しての中継線管理メッセージに変換して同期交換機へ伝送する。反対に、同期交換機が相互連動運用部へＭＡＰプロトコルを介した中継線管理メッセージを伝送すると、相互連動運用部はこれをＩＳＵＰプロトコルを介した中継線管理メッセージに変換して非同期交換機へ伝送する。
図１４乃至図２２は、本発明の第２実施例による、中継線管理メッセージを送受信して交換機間のハンドオーバー専用中継線の状態を確認する方法、及び各中継線管理メッセージに含まれるパラメーターのリストを説明するための図である。本実施例では、非同期交換機が先にＩＳＵＰプロトコルを用いて相互連動運用部（ＩＩＦ）へ中継線管理メッセージを伝送し、相互連動運用部がこれをＭＡＰプロトコルに変換して同期交換機へ中継線管理メッセージを伝送することによって、同期交換機がＭＡＰプロトコルにより相互連動運用部に応答メッセージを伝送し、相互連動運用部がこれをＩＳＵＰプロトコルに変換して非同期交換機へ応答メッセージを伝送する場合を例に挙げて説明する。
【００４１】
図１４及び図１５は、本発明の第２実施例による交換機間の中継線管理方法のうち、回線再始動メッセージを説明するための図であり、図１４に示すように、非同期交換機は、同期交換機との中継線を使用する必要がある場合、或いは損失された回線状態についての情報を再生して回線を再始動する場合に、ＩＳＵＰプロトコルを用いて回線再始動メッセージ（ＲＳＣ）を相互連動運用部へ伝送する。すると、相互連動運用部はこれをＭＡＰプロトコルに変換して同期交換機へ回線再始動メッセージ（Reset Circuit）を伝送する。
相互連動運用部からＭＡＰプロトコルによる回線再始動メッセージ（Reset Circuit）を受信した同期交換機は、中継線状態情報を含む応答メッセージ（Reset Circuit Ack）を相互連動運用部へ伝送し、相互連動運用部はこれをＩＳＵＰプロトコル基盤のメッセージ（ＲＬＣ）に変換してＩＳＵＰ回線再始動メッセージ（ＲＳＣ）に対する応答メッセージとして非同期交換機へ伝送する。
ＭＡＰ基盤の回線再始動メッセージは、 図１５に示すように内部交換機サーキットＩＤ（Inter MSC Circuit ID）を含み、その応答メッセージは中継線状態（Trunk State）を含む。
【００４２】
図１６乃至図１９は、本発明の第２実施例による交換機間の中継線管理方法のうち、回線遮断及び遮断解除メッセージを説明するための図である。
まず、図１６を参照すると、非同期交換機は、同期交換機間に割り当てられた中継線がサービスから遮断されたことを知らせるために、即ち交換機間の接続をそれ以上維持する必要がない場合に、相互連動運用部へＩＳＵＰプロトコルによる回線遮断メッセージ（ＢＬＯ）を伝送し、相互連動運用部はこれをＭＡＰプロトコルに変換したメッセージ（Blocking）を同期交換機へ伝送する。
これに応じて、同期交換機は回線遮断メッセージに対する応答メッセージ（Blocking Ack）をＭＡＰプロトコルにより相互連動運用部へ伝送し、相互連動運用部はこれをＩＳＵＰ回線遮断メッセージ（ＢＬＯ）に対する応答メッセージ（ＢＬＡ）に変換して非同期交換機へ伝送する。
図１８を参照すると、非同期交換機は、図１６で説明した回線遮断メッセージにより同期交換機との接続が遮断された場合、中継線を再度サービス状態に転換するために、相互連動運用部へＩＳＵＰプロトコルを用いて回線再設定メッセージ（ＵＢＬ）を伝送し、相互連動運用部はこれをＭＡＰメッセージ（Unblocking）に変換して同期交換機へ伝送する。
【００４３】
回線再設定メッセージ（Unblocking）を受信した同期交換機は、これに対する応答としてＭＡＰメッセージ（Unblocking Ack）を相互連動運用部へ伝送し、相互連動運用部はこれをＩＳＵＰメッセージ（ＵＢＡ）に変換して非同期交換機へ伝送する。
ＭＡＰプロトコル基盤の回線遮断メッセージ（Blocking）に含まれるパラメーターは、図１７に示すように内部交換機サーキットＩＤ（Inter MSC Circuit ID）を含み、ＭＡＰプロトコル基盤の回線再設定メッセージ（Unblocking）に含まれるパラメーターもまた、図１９に示すように内部交換機サーキットＩＤ（Inter MSC Circuit ID）を含む。
次に、図２０乃至図２２は、本発明の第２実施例による中継線管理方法のうち、中継線テストメッセージを説明するための図である。
図２０に示すように、非同期交換機は、中継線が正確に動作するかを確認するためにＩＳＵＰプロトコルを用いて相互連動運用部へ中継線テストメッセージ（ＣＣＲ）を伝送し、相互連動運用部は、これをＭＡＰメッセージ（Trunk Test）に変換して同期交換機へ伝送する。これに応じて、同期交換機は中継線テストメッセージに対する応答メッセージ（Trunk Test Ack）を相互連動運用部へ伝送する。
【００４４】
さらに、中継線テストを終了しようとする場合、非同期交換機は相互連動運用部へＩＳＵＰメッセージである中継線テスト解除メッセージ（ＲＥＬ）を伝送し、相互連動運用部はこれをＭＡＰメッセージ（Trunk Test Disconnect）に変換して同期交換機へ伝送する。
中継線テスト解除メッセージ（Trunk Test Disconnect）を受信した同期交換機は、これに対する応答メッセージ（Trunk Test Disconnect Ack）を相互連動運用部へ伝送し、相互連動運用部はこれをＩＳＵＰメッセージ（ＲＬＣ）に変換して非同期交換機へ伝送する。
ＭＡＰプロトコル基盤の中継線テストメッセージ（Trunk Test）は、図２１に示すように内部交換機サーキットＩＤ（Inter MSC Circuit ID）及びシーザータイプ（Seizure Type）を含み、ＭＡＰプロトコル基盤の中継線テスト解除メッセージ（Trunk Test Disconnect）は、図２２に示すように内部交換機サーキットＩＤ（Inter MSC Circuit ID）を含む。
以上、中継線管理メッセージを、非同期交換機から相互連動運用部を介して同期交換機へ伝送した場合について説明したが、同期交換機から相互連動運用部を介して非同期交換機へ中継線管理メッセージを伝送し、これに対する応答メッセージを受信する方法により中継線状態を管理することも可能である。また、各中継線管理メッセージに含まれるパラメーターは、図示した項目以外にも、交換機間の機能拡張によって追加可能であることは勿論である。
【００４５】
以上で説明した本発明は、本発明の属する技術分野の当業者ならば、本発明がその技術的思想や必須的特徴を変更せずに他の具体的な形態で実施され得ることを理解できるであろう。従って、以上で記述した実施例は、全ての面において例示的なものであり、限定的なものではないと理解すべきである。本発明の範囲は上述の詳細な説明よりは後述する特許請求範囲によって示され、特許請求範囲の意味、範囲及びそれらの等価概念から作られる全ての変更又は変形された形態が本発明の範囲に含まれるものと解釈されなければならない。
【産業上の利用可能性】
【００４６】
本発明は、非同期移動通信システムが同期移動通信システムに重なっており、デュアルバンドデュアルモード移動通信端末が非同期移動通信システム領域から同期移動通信システム領域へ移動する場合にハンドオーバー手順を正確に行うために、非同期交換機と同期交換機との間で中継線管理メッセージを送受信し、中継線の設定、再設定、解除、再トライ、状態確認などを行うことによって、非同期交換機と同期交換機との間のメッセージ伝送が正確になされ、これによって移動通信端末機に対するサービスの断絶無しに向上した品質のサービスを提供できる。
【図面の簡単な説明】
【００４７】
【図１】本発明の第１実施例による移動通信網の構成図である。
【図２】本発明の第１実施例による非同期網と同期網との間のハンドオーバー方法を説明するためのフローチャートである。
【図３】本発明の第１実施例による交換機間の中継線管理方法のうち、回線再始動メッセージを説明するための図である。
【図４】本発明の第１実施例による交換機間の中継線管理方法のうち、回線再始動メッセージを説明するための図である。
【図５】本発明の第１実施例による交換機間の中継線管理方法のうち、回線遮断及び遮断解除メッセージを説明するための図である。
【図６】本発明の第１実施例による交換機間の中継線管理方法のうち、回線遮断及び遮断解除メッセージを説明するための図である。
【図７】本発明の第１実施例による交換機間の中継線管理方法のうち、回線遮断及び遮断解除メッセージを説明するための図である。
【図８】本発明の第１実施例による交換機間の中継線管理方法のうち、回線遮断及び遮断解除メッセージを説明するための図である。
【図９】本発明の第１実施例による中継線管理方法のうち、中継線状態テストメッセージを説明するための図である。
【図１０】本発明の第１実施例による中継線管理方法のうち、中継線状態テストメッセージを説明するための図である。
【図１１】本発明の第１実施例による中継線管理方法のうち、中継線状態テストメッセージを説明するための図である。
【図１２】本発明の第２実施例による移動通信網の構成図である。
【図１３】本発明の第２実施例による非同期網と同期網との間のハンドオーバー方法を説明するためのフローチャートである。
【図１４】本発明の第２実施例による交換機間の中継線管理方法のうち、回線再始動メッセージを説明するための図である。
【図１５】本発明の第２実施例による交換機間の中継線管理方法のうち、回線再始動メッセージを説明するための図である。
【図１６】本発明の第２実施例による交換機間の中継線管理方法のうち、回線遮断及び遮断解除メッセージを説明するための図である。
【図１７】本発明の第２実施例による交換機間の中継線管理方法のうち、回線遮断及び遮断解除メッセージを説明するための図である。
【図１８】本発明の第２実施例による交換機間の中継線管理方法のうち、回線遮断及び遮断解除メッセージを説明するための図である。
【図１９】本発明の第２実施例による交換機間の中継線管理方法のうち、回線遮断及び遮断解除メッセージを説明するための図である。
【図２０】本発明の第２実施例による中継線管理方法のうち、中継線状態テストメッセージを説明するための図である。
【図２１】本発明の第２実施例による中継線管理方法のうち、中継線状態テストメッセージを説明するための図である。
【図２２】本発明の第２実施例による中継線管理方法のうち、中継線状態テストメッセージを説明するための図である。
【図１】
2007528660.tif 000003
【図２】
2007528660.tif 000004
【図３】
2007528660.tif 000005
【図４】
2007528660.tif 000006
【図５】
2007528660.tif 000007
【図６】
2007528660.tif 000008
【図７】
2007528660.tif 000009
【図８】
2007528660.tif 000010
【図９】
2007528660.tif 000011
【図１０】
2007528660.tif 000012
【図１１】
2007528660.tif 000013
【図１２】
2007528660.tif 000014
【図１３】
2007528660.tif 000015
【図１４】
2007528660.tif 000016
【図１５】
2007528660.tif 000017
【図１６】
2007528660.tif 000018
【図１７】
2007528660.tif 000019
【図１８】
2007528660.tif 000020
【図１９】
2007528660.tif 000021
【図２０】
2007528660.tif 000022
【図２１】
2007528660.tif 000023
【図２２】
2007528660.tif 000024
【国際調査報告】
2007528660.tif 000025
2007528660.tif 000026